(57)【特許請求の範囲】
【請求項１】
媒体を外部から内部の収納空間へ収納又は該収納空間から外部へ繰り出すための開口部が形成された媒体収納筐体に取り付け可能で、
前記媒体収納筐体に取り付けられた際に前記開口部を覆う被覆部と、
前記被覆部の端部から前記媒体収納筐体の側面と対向するよう延設し、前記媒体収納筐体の側面に形成された被嵌合部と嵌合する嵌合部が形成された取付部と
を有する保護具。
【請求項２】
前記取付部は、前記被覆部の両端から前記媒体収納筐体の両側面と対向するよう延設し、前記嵌合部は、前記媒体収納筐体の両側面に形成された前記被嵌合部と嵌合する
請求項１に記載の保護具。
【請求項３】
前記被嵌合部及び前記嵌合部は、縦長形状の突起と、該突起に嵌り込む縦長形状の孔部とを有している
請求項１又は請求項２に記載の保護具。
【請求項４】
前記孔部は、下端部の幅が上端部の幅に対して広がっている形状である
請求項３に記載の保護具。
【請求項５】
前記被覆部において前記開口部と対向する箇所には、緩衝材が設けられる
請求項１に記載の保護具。
【請求項６】
前記取付部は、前記保護具が前記媒体収納筐体に取り付けられた際に、前記媒体収納筐体に設けられた取手を避けるよう屈曲している
請求項１に記載の保護具。
【請求項７】
前記保護具は、前記取手の移動軌跡に干渉しないよう前記媒体収納筐体に取り付けられる
請求項６に記載の保護具。
【請求項８】
前記取付部の下端部は、前記媒体収納筐体の両側面から離れる方向に屈曲している
請求項１に記載の保護具。
【請求項９】
前記保護具は、前記媒体収納筐体と異なる色である
請求項１に記載の保護具。
【請求項１０】
前記保護具は、１枚の板金部材が折り曲げられて形成される
請求項１に記載の保護具。
【請求項１１】
前記被覆部は、前記開口部を通過する前記媒体をガイドするカセット受渡ガイドを覆う
請求項１に記載の保護具。
【請求項１２】
媒体を外部から内部の収納空間へ収納又は該収納空間から外部へ繰り出すための開口部が形成された媒体収納筐体と、
前記媒体収納筐体に取り付け可能で、該媒体収納筐体に取り付けられた際に前記開口部を覆う被覆部と、前記被覆部の端部から前記媒体収納筐体の側面と対向するよう延設し、前記媒体収納筐体の側面に形成された被嵌合部と嵌合する嵌合部が形成された取付部とを具える保護具と
を有する媒体収納装置。
【請求項１３】
所定のフレームに形成された筐体装填空間に着脱可能に構成されており、媒体を外部から内部の収納空間へ収納又は該収納空間から外部へ繰り出すための開口部が形成された媒体収納筐体と、
前記媒体収納筐体に取り付け可能で、該媒体収納筐体に取り付けられた際に前記開口部を覆う被覆部と、前記被覆部の端部から前記媒体収納筐体の側面と対向するよう延設し、前記媒体収納筐体の側面に形成された被嵌合部と嵌合する嵌合部が形成された取付部とを具える保護具と
を有する媒体処理装置。
【請求項１４】
前記保護具が取り付けられた状態の前記媒体収納筐体が前記筐体装填空間に装填されようとした場合、前記保護具の前記取付部が前記フレームに当接することで、該媒体収納筐体の装填を規制する
請求項１３に記載の媒体処理装置。
【請求項１５】
前記媒体収納筐体が前記筐体装填空間に装填された際、前記被嵌合部が前記フレームの位置決め部と嵌合する
請求項１３に記載の媒体処理装置。
【発明の詳細な説明】
【技術分野】
【０００１】
本発明は保護具、媒体収納装置及び媒体処理装置に関し、例えば顧客に紙幣等の媒体を投入させて所望の取引を行う現金自動預払機（ＡＴＭ：Automatic Teller Machine）に適用して好適なものである。
【背景技術】
【０００２】
従来、金融機関や店舗等で使用される現金自動預払機等においては、顧客との取引内容に応じて、例えば顧客に紙幣や硬貨等の現金を入金させ、また顧客へ現金を出金する。現金自動預払機としては、例えば顧客との間で紙幣の授受を行う紙幣入出金口と、紙幣を搬送路に沿って搬送する搬送部と、投入された紙幣の金種及び真偽を鑑別する鑑別部と、投入された紙幣を一時的に保留する一時保留部と、金種ごとに紙幣を格納する紙幣カセットとを有するものがある（例えば、特許文献１参照）。
【０００３】
一般に、現金自動預払機の紙幣カセットは、現金自動預払機本体との紙幣の受け渡しの際に紙幣をガイドするカセット受渡ガイドが設けられている。また紙幣カセットは、現金自動預払機本体から着脱可能であり、紙幣の補充回収作業のために輸送される。
【先行技術文献】
【特許文献】
【０００４】
【特許文献１】特開２０１１−１１８６９９号公報
【発明の概要】
【発明が解決しようとする課題】
【０００５】
そのような紙幣カセットは、輸送時の取り扱いによりカセット受渡ガイドが損傷してしまうことがある。カセット受渡ガイドが損傷した紙幣カセットを現金自動預払機本体装着した場合、カセット受渡ガイドと現金自動預払機本体との間での紙幣の受け渡しの際にカセット受渡ガイドの損傷箇所が原因となって、紙幣ジャム等のエラーが発生する可能性があった。
【０００６】
本発明は以上の点を考慮してなされたもので、信頼性を向上し得る保護具、媒体収納装置及び媒体処理装置を提案しようとするものである。
【課題を解決するための手段】
【０００７】
かかる課題を解決するため本発明の保護具においては、媒体を外部から内部の収納空間へ収納又は該収納空間から外部へ繰り出すための開口部が形成された媒体収納筐体に取り付け可能で、媒体収納筐体に取り付けられた際に開口部を覆う被覆部と、被覆部の端部から媒体収納筐体の側面と対向するよう延設し、媒体収納筐体の側面に形成された被嵌合部と嵌合する嵌合部が形成された取付部とを設けるようにした。
【０００８】
また本発明の媒体収納装置においては、媒体を外部から内部の収納空間へ収納又は該収納空間から外部へ繰り出すための開口部が形成された媒体収納筐体と、媒体収納筐体に取り付け可能で、該媒体収納筐体に取り付けられた際に開口部を覆う被覆部と、被覆部の端部から媒体収納筐体の側面と対向するよう延設し、媒体収納筐体の側面に形成された被嵌合部と嵌合する嵌合部が形成された取付部とを具える保護具とを設けるようにした。
【０００９】
さらに本発明の媒体処理装置においては、所定のフレームに形成された筐体装填空間に着脱可能に構成されており、媒体を外部から内部の収納空間へ収納又は該収納空間から外部へ繰り出すための開口部が形成された媒体収納筐体と、媒体収納筐体に取り付け可能で、該媒体収納筐体に取り付けられた際に開口部を覆う被覆部と、被覆部の端部から媒体収納筐体の側面と対向するよう延設し、媒体収納筐体の側面に形成された被嵌合部と嵌合する嵌合部が形成された取付部とを具える保護具とを設けるようにした。
【００１０】
本発明は、媒体収納装置の輸送時に、被覆部が開口部を覆うよう保護具が媒体収納筐体に取り付けられることにより、カセット受渡ガイドに外部からの衝撃による損傷が生じることを防ぐことができる。
【発明の効果】
【００１１】
本発明によれば、信頼性を向上し得る保護具、媒体収納装置及び媒体処理装置を実現できる。
【図面の簡単な説明】
【００１２】
【図１】現金自動預払機の構成を示す斜視図である。
【図２】紙幣入出金機の構成を示す左側面図である。
【図３】第１の実施の形態による紙幣カセットの装填時における下部ユニットの構成を示す斜視図である。
【図４】第１の実施の形態による保護具非装着状態における紙幣カセット及び保護具の構成を示す斜視図である。
【図５】第１の実施の形態による取手非使用状態且つ保護具装着状態における紙幣カセット及び保護具の構成を示す斜視図である。
【図６】第１の実施の形態による取手使用状態且つ保護具装着状態における紙幣カセット及び保護具の構成を示す斜視図である。
【図７】紙幣カセットのカセット案内部の構成を示す斜視図である。
【図８】第１の実施の形態による保護具の構成を示す三面図である。
【図９】保護具が紙幣カセットに装着される様子を示す、図５におけるＡ−Ａ矢視断面図である。
【図１０】保護具装着状態で紙幣カセットが紙幣カセット装填空間に装着されようとした場合の様子を示す、図５におけるＡ−Ａ矢視断面図である。
【図１１】第２の実施の形態による保護具の構成を示す三面図である。
【発明を実施するための形態】
【００１３】
以下、発明を実施するための形態（以下実施の形態とする）について、図面を用いて説明する。
【００１４】
［１．第１の実施の形態］
［１−１．現金自動預払機の構成］
図１に外観を示すように、現金自動預払機１は、箱状の筐体２を中心に構成されており、例えば金融機関等に設置され、利用者（すなわち金融機関の顧客）との間で入金取引や出金取引等の現金に関する取引を行う。
【００１５】
筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。
【００１６】
以下では、現金自動預払機１のうち利用者が対峙する側を前側とし、その反対を後側とし、該前側に対峙した利用者から見て左及び右をそれぞれ左側及び右側とし、さらに上側及び下側を定義して説明する。
【００１７】
筐体２内には、現金自動預払機１全体を統轄制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、各部を制御して入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００１８】
［１−２．紙幣入出金機の構成］
図２に示すように紙幣入出金機１０は、中空の直方体状に構成された入出金機筐体１１の内部に、媒体としての紙幣に関する種々の処理を行う複数の部分が組み込まれている。入出金機筐体１１は、前側が開放されると共に、上下方向のほぼ中央に設けられた仕切部１１Ｐにより、その内部が上側の上部空間１１ＳＵと下側の下部空間１１ＳＬとに仕切られている。上部空間１１ＳＵ及び下部空間１１ＳＬには、それぞれ上部ユニット１２及び下部ユニット１５が収納されている。
【００１９】
上部ユニット１２には、全体を統轄制御する紙幣制御部２１、顧客との間で紙幣を授受する入出金部２２、紙幣を各部へ搬送する搬送部２３、紙幣を鑑別する鑑別部２４及び紙幣を一時的に収納する一時保留部２５が設けられている。
【００２０】
紙幣制御部２１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部２１は、内部にＲＡＭ及びフラッシュメモリ等でなる記憶部を有しており、この記憶部に種々の情報を記憶させる。
【００２１】
入出金部２２は、上部ユニット１２内における前上部に位置しており、顧客から受け取った紙幣を１枚ずつに分離して搬送部２３に引き渡し、また搬送部２３から搬送されてきた紙幣を集積して利用者に受け取らせる。搬送部２３は、紙幣を案内する搬送ガイドや多数の回転するローラ、或いは走行するベルト等が適宜配置されることにより、紙幣を搬送するための搬送路（図中に実線で示す）を形成している。この搬送部２３は、各ローラを適宜回転させ、また各ベルトを適宜走行させることにより、搬送路に沿って紙幣を短辺に沿った方向に搬送する。
【００２２】
鑑別部２４は、紙幣の搬送路に沿って配置されており、内部に組み込まれた複数種類のセンサにより、搬送される紙幣の金種、真偽、正損（損傷しているか否か）等を認識し、その認識結果を紙幣制御部２１へ送出する。一時保留部２５は、いわゆるテープエスクロ方式を採用しており、円筒状のドラムの周側面に紙幣をテープと共に巻き付けることで該紙幣を収納し、またこの周側面から該テープを引き剥がすことで紙幣を繰り出す。
【００２３】
下部ユニット１５には、紙幣を収納する複数の紙幣カセット２６及びリジェクトカセット２７が設けられている。各紙幣カセット２６は、何れも同様に構成されており、内部に紙幣を集積して収納する空間を有している。この紙幣カセット２６は、損傷の程度が小さく再利用が可能であると鑑別部２４及び紙幣制御部２１により判断された紙幣が、その金種に応じて搬送部２３により搬送されてくると、該紙幣を内部に集積して収納する。また紙幣カセット２６は、紙幣制御部２１から紙幣を繰り出す指示を受け付けると、集積している紙幣を１枚ずつに分離して繰り出し、搬送部２３へ引き渡す。
【００２４】
リジェクトカセット２７は、内部に紙幣を集積して収納する空間を有している。このリジェクトカセット２７は、紙幣カセット２６とほぼ同様の外観であり、損傷の程度が大きく再利用すべきで無いと鑑別部２４及び紙幣制御部２１により判断された紙幣（いわゆるリジェクト紙幣）が搬送部２３により搬送されてくると、該紙幣を内部に収納する。
【００２５】
さらに入出金機筐体１１における上部ユニット１２及び下部ユニット１５の間、すなわち仕切部１１Ｐには、前後方向に沿って複数の受渡部２８が配置されている。受渡部２８は、搬送部２３と紙幣カセット２６又はリジェクトカセット２７との間で紙幣を受け渡す場合に、両者の間で該紙幣を仲介するように案内する。
【００２６】
例えば顧客が現金自動預払機１との間で入金取引を行う場合、紙幣制御部２１は、主制御部９等と連携しながら、操作表示部６を介して所定の操作入力を受け付けた後、入出金口５（図１）のシャッタを開いて入出金部２２内へ紙幣を投入させる。入出金部２２は、紙幣が投入されると、入出金口５のシャッタを閉じてから紙幣を１枚ずつに分離して搬送部２３へ引き渡す。搬送部２３は、受け取った紙幣を搬送すると共に鑑別部２４により鑑別させ、得られた鑑別結果を紙幣制御部２１へ通知する。これに応じて紙幣制御部２１は、各紙幣の搬送先を決定する。このとき搬送部２３は、鑑別部２４において正常と鑑別された紙幣（いわゆる正券）を一時保留部２５へ搬送して一時的に保留させる一方、取引すべきでないと鑑別された紙幣（いわゆる損券や偽券等）を入出金部２２へ搬送して顧客に返却する。
【００２７】
その後紙幣制御部２１は、操作表示部６（図１）を介して顧客に入金金額を確定させ、一時保留部２５に保留している紙幣を鑑別部２４へ搬送させてその金種及び損傷の程度等を鑑別させ、その鑑別結果を取得する。続いて紙幣制御部２１は、紙幣の損傷の程度が大きければ、これを再利用すべきでないリジェクト紙幣として、受渡部２８を介してリジェクトカセット２７へ搬送して収納させる。また紙幣制御部２１は、紙幣の損傷の程度が小さければ、これを再利用すべき紙幣とし、受渡部２８を介してその金種に応じた紙幣カセット２６へ搬送して収納させる。
【００２８】
一方、例えば顧客が現金自動預払機１との間で出金取引を行う場合、紙幣制御部２１は、主制御部９等と連携しながら、操作表示部６（図１）を介して所定の操作入力を受け付けた後、出金すべき金額に応じた紙幣を紙幣カセット２６から繰り出させる。続いて紙幣制御部２１は、受渡部２８を介してこの紙幣を搬送部２３に引き渡し、該搬送部２３により鑑別部２４へ搬送して鑑別させた上で入出金部２２へ搬送し、入出金口５（図１）のシャッタを開いてこの紙幣を顧客に取り出させる。
【００２９】
ところで現金自動預払機１の筐体２は、前側が開閉可能な扉となっており、この扉が開放されると、外部から紙幣入出金機１０へのアクセスが可能となる。また紙幣入出金機１０の入出金機筐体１１は、上述した下部ユニット１５がスライドレール１６を介して取り付けられている。
【００３０】
このため紙幣入出金機１０は、筐体２の扉が開放された状態で、スライドレール１６を伸縮させながら下部ユニット１５を前後方向へ移動させることにより、該下部ユニット１５を入出金機筐体１１の下部空間１１ＳＬ内に収納した状態と、入出金機筐体１１の前側に引き出した状態とに遷移させることができる。
【００３１】
［１−３．下部ユニットの構成］
下部ユニット１５は、スライドレール１６に取り付けられた図３に示す下部フレーム１７に、前後方向に沿って５個の紙幣カセット装填空間１７Ｓが並んで配置されている。各紙幣カセット装填空間１７Ｓは、上下方向に貫通した長方形状の孔となっており、それぞれの左右両側に紙幣カセット２６又はリジェクトカセット２７を支持する部分が形成されている。
【００３２】
このため下部ユニット１５では、入出金機筐体１１の前方に下部フレーム１７が引き出された状態で、各紙幣カセット装填空間１７Ｓの上側から取手４２が持たれて紙幣カセット２６が下方へ降ろされることにより、該紙幣カセット装填空間１７Ｓに紙幣カセット２６を装填させることができる。また下部ユニット１５では、紙幣カセット２６が装填されている下部フレーム１７が入出金機筐体１１の前方に引き出された状態で、取手４２が持たれて紙幣カセット２６が上方へ持ち上げられることにより、各紙幣カセット装填空間１７Ｓから該紙幣カセット２６を離脱させることができる。因みに下部ユニット１５では、リジェクトカセット２７も紙幣カセット２６と同様に、下部フレーム１７の紙幣カセット装填空間１７Ｓに対し着脱される。
【００３３】
さらに紙幣カセット２６は、下部フレーム１７に装填され、且つ該下部フレーム１７が入出金機筐体１１内に収納された場合（図２）、その上面を入出金機筐体１１の仕切部１１Ｐに設けられた受渡部２８と対向させ、該受渡部２８との間で紙幣を相互に受け渡す位置に配置される。
【００３４】
このように紙幣入出金機１０は、下部フレーム１７の各紙幣カセット装填空間１７Ｓに紙幣カセット２６がそれぞれ装填され、該下部フレーム１７が入出金機筐体１１内に収納された場合、入出金機筐体１１の各受渡部２８との間で紙幣を受け渡すことができる。
【００３５】
下部フレーム１７は、全体として、鋼板部材である左側板３０、右側板３１、前側板３２及び後側板３３により、５個分の紙幣カセット装填空間１７Ｓの周囲を囲んだ構成となっている。前側板３２及び後側板３３の間には、４枚の仕切板３４が等間隔に配置されている。各仕切板３４は、その左端及び右端が左側板３０及び右側板３１にそれぞれ固定されている。すなわち下部フレーム１７は、左側板３０、右側板３１、前側板３２及び後側板３３により前後方向に長い空間を形成し、これを４枚の仕切板３４によって５個の紙幣カセット装填空間１７Ｓに仕切っている。
【００３６】
また右側板３１は、上端部が右側に向かって直角に屈曲することにより、上方を向く平面である右側板上端面３１Ｕが形成されており、右側板３１の強度を確保している。また左側板３０は、上端部が左側に向かって直角に屈曲することにより、上方を向く平面である左側板上端面３０Ｕが形成されており、左側板３０の強度を確保している。また左側板３０及び右側板３１には、紙幣カセット２６における後述する保守側突起５２及び非保守側突起５４とそれぞれ勘合する図示しない切欠きが設けられていることにより、紙幣カセット２６が左右逆の状態で紙幣カセット装填空間１７Ｓに誤装填されてしまうことを防止している。
【００３７】
また下部フレーム１７は、右側板３１の上端よりも左側板３０の上端の方が低くなっている。これは、下部フレーム１７において、作業者等により種々の操作や作業等（以下これを保守作業と呼ぶ）が行われる場合に、該作業者等が該下部フレーム１７の左側に位置することが想定され、該作業者等による重量が大きい紙幣カセット２６の装填や取り出し等の作業効率を高めることを意図したものである。また下部フレーム１７は、右側板３１の高さを可能な限り高く設定することにより、紙幣カセット２６が装填された際に右側板３１における上端部側の図示しない位置決め手段により該紙幣カセット２６の振れを抑えている。このため以下では、下部フレーム１７の左側及び右側を、それぞれ保守側及び非保守側とも呼ぶ。
【００３８】
［１−４．紙幣カセットの構成］
図４に示すように、紙幣カセット２６は、外側部分（すなわち外形）を形成するカセット筐体３６を中心に構成されている。カセット筐体３６は、全体として、上下方向に長く前後方向に比較的短い直方体状に形成されている。因みにカセット筐体３６は、例えば灰色やクリーム色の所定の樹脂材料による成形部品を複数組み合わせることにより構成されている。
【００３９】
カセット筐体３６における前後方向及び左右方向の長さは、紙幣カセット装填空間１７Ｓ（図３）よりもそれぞれ僅かに短くなっている。具体的にカセット筐体３６の左右方向の長さはカセット幅ｗとなっている。その一方で、カセット筐体３６における上下方向の長さは、右側板３１（図３）よりも長くなっている。
【００４０】
カセット筐体３６の上面における後寄りの位置には、紙幣を受け渡すカセット案内部３８が設けられている。カセット案内部３８には、左右方向を長手方向とする細長いスリット状の挿通孔４０が設けられている。カセット案内部３８は、紙幣の長手方向を左右に向け、且つ紙面を前後に向けた状態で、該紙幣を上下方向へ進行させ、カセット筐体３６の内外間で移動させる。カセット案内部３８は、紙幣カセット２６が装填された下部フレーム１７が入出金機筐体１１内に収納されたときに（図２）、受渡部２８を介して、その上側に位置する搬送部２３との間で紙幣を受け渡す。
【００４１】
図７に示すように、このカセット案内部３８には、カセット受渡ガイド４６が設けられている。カセット受渡ガイド４６は、前側に配置され複数の爪体が左右方向に離散的に並んだカセット前受渡ガイド４６Ｆと、後側に配置され複数の爪体が左右方向に離散的に並んだカセット後受渡ガイド４６Ｂとにより構成されている。カセット後受渡ガイド４６Ｂは、カセット筐体３６の後側面の上端に位置している。カセット前受渡ガイド４６Ｆ及びカセット後受渡ガイド４６Ｂの間には、所定の間隔（例えば５［ｍｍ］）でなる搬送空間４８が形成されている。この搬送空間４８は、紙幣の紙面を前後方向に向け、上下方向に沿って搬送する搬送路となっている。この搬送空間４８はカセット筐体３６の挿通孔４０と外部との間に設けられ、搬送される紙幣の一面及び他面をガイドする。カセット受渡ガイド４６よりも前方は、紙幣カセット２６の上面を覆う上部カバー５０により表面が覆われている。
【００４２】
また図６に示すようにカセット筐体３６の上面における前寄りには、前側及び左右両側の外周に沿うような窪みが形成されており、この窪みにはまるようにして、取手４２が取り付けられている。取手４２は、図４及び図５に示すように、前側に位置し左右方向に沿った部分と、左右両側に位置しそれぞれ前後方向に沿った部分とにより、全体として英文字の「Ｕ」を描く形状に形成されている。また取手４２は、カセット筐体３６の左右両側の部分における前後方向の中央部近傍において、所定の回動軸４２Ｐを介して該カセット筐体３６に取り付けられている。このため取手４２は、非使用時には図４及び図５に示すようにカセット筐体３６の窪みに収納される一方、使用時には作業者等によって図３及び図６に示すように後上方へ回動されることにより、左右方向に沿った部分が該カセット筐体３６から上方へ引き離され、この作業者等に容易に把持させることができる。また取手４２は、紙幣カセット２６においてカセット案内部３８が設けられている後部とは逆方向である前部へ回動しカセット筐体３６の窪みに収納される。以下では、使用時において作業者が把持する際に図３及び図６に示すように取手４２がカセット筐体３６から上方へ引き離された状態を取手使用状態とも呼び、非使用時において図４及び図５に示すように取手４２がカセット筐体３６の窪みに収納された状態を取手非使用状態とも呼ぶ。
【００４３】
カセット筐体３６の前面には、前扉４４が設けられている。この前扉４４は、右端近傍に設けられた蝶番を軸として回動することにより開閉する。カセット筐体３６は、この前扉４４が開放されることにより、その内部に形成された収納空間へのアクセスを可能とする。またカセット筐体３６は、前扉４４が閉塞されることにより、外部からの内部空間へのアクセスを禁止する。さらに前扉４４には、所定の鍵により解錠可能な錠４４Ｌが設けられている。カセット筐体３６は、前扉４４が閉塞された状態で錠４４Ｌが施錠されることにより、この前扉４４の開放を禁止し、この錠４４Ｌが解錠された場合にのみ、前扉４４の開放を許容する。
【００４４】
カセット筐体３６の右側面には、前後方向のほぼ中央における上下方向の中央やや上寄りにおいて、周囲よりも僅かに右方へ突出した１個の非保守側突起５４が設けられている。この非保守側突起５４は、上下方向に沿って直線状の縦長形状に形成されており、右側面視で角丸長方形となっている。また非保守側突起５４は、下部フレーム１７（図３）の右側板３１における図示しない位置決め部としての切欠きに嵌り込むと共に、後述する保護具６０の非保守側孔７６が嵌り込む。この非保守側突起５４は、カセット筐体３６の右側面から右方向に突出する左右方向の高さが非保守側突起高さｈ２となっている。
【００４５】
カセット筐体３６の左側面には、前後方向のほぼ中央における、上下方向の位置が非保守側突起５４よりも上側において、周囲よりも僅かに左方へ突出した１個の保守側突起５２が設けられている。この保守側突起５２は、上下方向に沿って直線状の縦長形状に形成されており、左側面視で角丸長方形となっている。また保守側突起５２は、下部フレーム１７（図３）の左側板３０における図示しない位置決め部としての切欠きに嵌り込むと共に、後述する保護具６０の保守側孔７２が嵌り込む。この保守側突起５２は、カセット筐体３６の左側面から左方向に突出する左右方向の高さが保守側突起高さｈ１となっている。以下では、保守側突起５２及び非保守側突起５４をまとめて被嵌合部８４とも呼ぶ。
【００４６】
［１−５．保護具の構成］
紙幣カセット２６は、紙幣の補充回収時に図４、図５及び図６に示した保護具６０がカセット筐体３６に取り付けられた状態で運搬される。以下では、紙幣カセット２６に保護具６０が装着された状態を保護具装着状態とも呼び、紙幣カセット２６から保護具６０が取り外された状態を保護具非装着状態とも呼ぶ。保護具６０は、図８に示すように全体としてＵ字形状に形成されており、上面部６２、背面部６４、保守側腕６６及び非保守側腕６８が、１枚の鋼板が屈曲されることにより形成されている。
【００４７】
上面部６２は、左右方向の長さがカセット筐体３６よりも僅かに長く形成されていると共に、前後方向の長さが紙幣カセット２６におけるカセット案内部３８を上方から覆う程度の長さに形成されている。この上面部６２は、保護具装着状態においてカセット案内部３８を上方から覆うことにより、該カセット案内部３８のカセット受渡ガイド４６を保護し損傷を防止する。
【００４８】
背面部６４は、上面部６２の後端から鋼板が右端近傍から左端近傍までに亘って下方へ向かって直角に屈曲されることにより形成されており、上面部６２の剛性を保っている。また背面部６４は、上下方向の長さが紙幣カセット２６におけるカセット案内部３８のカセット後受渡ガイド４６Ｂを後方から覆う程度の長さに形成されている。この背面部６４は、保護具装着状態においてカセット案内部３８のカセット後受渡ガイド４６Ｂを後方から覆うことにより、該カセット後受渡ガイド４６Ｂを保護し損傷を防止する。
【００４９】
保守側腕６６は、上面部６２の左端部から鋼板が下方へ向かって、保護具非装着状態において該上面部６２に対し直角よりも僅かに右側へ向かって屈曲されることにより形成されている。保守側腕６６は、上面部６２の左端部から下方へ向かうにつれ前方へ直線状に延びる回動軸退避部６６Ａと、該回動軸退避部６６Ａの下端部から下方へ上下方向に沿って直線状に延びるカセット固定部６６Ｂとを有している。保守側腕６６の下端には、下方へ向かうに連れ左方へ直線状に延びるよう屈曲する斜め曲げ７０が形成されている。保守側腕６６のカセット固定部６６Ｂには、保護具装着状態（図５）において紙幣カセット２６の保守側突起５２と対向する位置に保守側孔７２が穿設されている。この保守側孔７２は、紙幣カセット２６の保守側突起５２と左側面視で同一形状であり、上下方向に沿って直線状の縦長形状に形成されており角丸長方形となっている。保守側孔７２は、保護具装着状態において紙幣カセット２６の保守側突起５２にほぼ隙間なく嵌り込むことにより、保護具６０を紙幣カセット２６に固定する。
【００５０】
非保守側腕６８は、上面部６２の右端部から鋼板が下方へ向かって、保護具非装着状態において該上面部６２に対し直角よりも僅かに左側へ向かって屈曲されることにより形成されている。また非保守側腕６８は保守側腕６６よりも長く形成されている。非保守側腕６８は、上面部６２の右端部から下方へ向かうにつれ前方へ直線状に延びる回動軸退避部６８Ａと、該回動軸退避部６８Ａの下端部から下方へ上下方向に沿って直線状に延びるカセット固定部６８Ｂとを有している。非保守側腕６８の下端には、右方へ向かってＪ字形状に屈曲するＪ字曲げ７４が形成されている。このＪ字曲げ７４は、カセット固定部６８Ｂから右方向に突出する左右方向の高さが、保護具装着状態のまま紙幣カセット２６が紙幣カセット装填空間１７Ｓ（図３）に装填されようとした際に、該Ｊ字曲げ７４が右側板上端面３１Ｕに当接する程度となっている。非保守側腕６８のカセット固定部６８Ｂには、保護具装着状態（図５）において紙幣カセット２６の非保守側突起５４と対向する位置に非保守側孔７６が穿設されている。この非保守側孔７６は、紙幣カセット２６の非保守側突起５４と右側面視で同一形状であり、上下方向に沿って直線状の縦長形状に形成されており角丸長方形となっている。非保守側孔７６は、保護具装着状態において紙幣カセット２６の非保守側突起５４にほぼ隙間なく嵌り込むことにより、保護具６０を紙幣カセット２６に固定する。
【００５１】
このように保護具６０は、下方に向かうに連れて左右方向の外側へ向かって屈曲する （すなわち保護具装着状態においてカセット筐体３６の左側面及び右側面から離れるよう屈曲する）それぞれ斜め曲げ７０及びＪ字曲げ７４が保守側腕６６及び非保守側腕６８の下端に形成されている。このため保護具６０は、保守側腕６６と非保守側腕６８との下端部の間隔が、下方へ向かうに連れて広がっている。これにより保護具６０は、作業者が紙幣カセット２６に上方から取り付けやすくなっている。以下では、保守側腕６６及び非保守側腕６８をまとめて腕部８０とも呼び、保守側孔７２及び非保守側孔７６をまとめて嵌合部８２とも呼ぶ。
【００５２】
上面部６２における、保護具装着状態においてカセット受渡ガイド４６（図７）と対向する下面には、該上面部６２の下面ほぼ全てに亘って緩衝材としてのクッション７８が接着されている。このクッション７８は、押し潰されていない通常状態で５ｍｍ程度の厚さであり、保護具装着状態においてカセット受渡ガイド４６と当接する。
【００５３】
保護具非装着状態における保守側腕６６と非保守側腕６８との左右方向の間隔である腕部間隔ｓは、カセット筐体３６（図４）の左右方向の幅であるカセット幅ｗよりも狭くなっている。
【００５４】
保護具６０における鋼板の板厚ｔ（図８）は、該保護具６０が紙幣カセット２６に装着される際に保守側腕６６及び非保守側腕６８の下端部が広げられることにより、腕部間隔ｓが、（保守側突起高さｈ１＋カセット幅ｗ＋非保守側突起高さｈ２）（図４）よりも大きくなっても、保護具６０が塑性変形しない程度となっている。
【００５５】
保守側腕６６のカセット固定部６６Ｂと、非保守側腕６８のカセット固定部６８Ｂとにおける前後方向の幅である腕部幅ｂは、腕部間隔ｓがカセット幅ｗよりも広くなるよう保守側腕６６と非保守側腕６８との先端を左右方向外側に弾性変形させて広げた状態で十分な反力が得られるようになっている。
【００５６】
保守側腕６６における上面部６２の上面から保守側孔７２の下端までの長さである保守側腕長さＬ１と、非保守側腕６８における上面部６２の上面から非保守側孔７６の下端までの長さである非保守側腕長さＬ２とは、保護具装着状態においてカセット受渡ガイド４６と当接したクッション７８が約２ｍｍ押し潰される程度の長さに設定されている。
【００５７】
保護具装着状態において保護具６０は、保守側腕６６及び非保守側腕６８により、カセット筐体３６（図５）の右側面及び左側面を挟み込む。このとき保護具６０は、それぞれ非保守側孔７６が非保守側突起５４に、保守側孔７２が保守側突起５２に嵌り込むことにより、紙幣カセット２６に固定される。保護具装着状態において保護具６０は、カセット受渡ガイド４６にクッション７８を押し当てる。またこのとき保護具６０は、クッション７８が通常状態に戻ろうとするためカセット筐体３６から上方へ移動しようとするものの、それぞれ非保守側孔７６の下端部が非保守側突起５４に、保守側孔７２の下端部が保守側突起５２に引っ掛かることにより、上方への移動が規制される。
【００５８】
このように保護具６０は、保護具装着状態において紙幣カセット２６のカセット受渡ガイド４６を剛性の高い上面部６２で覆い、さらにクッション７８を押し当てることにより、カセット受渡ガイド４６に外部からの衝撃による損傷が生じることを防ぐことができる。
【００５９】
また保護具６０は、図５に示すように、保護具装着状態においてカセット固定部６６Ｂ及びカセット固定部６６Ｂの上端から、それぞれ回動軸退避部６６Ａ及び回動軸退避部６８Ａが、取手４２の回動軸４２Ｐを迂回するように後方へ向かって延びている。また保護具６０は、取手使用状態（図６）と取手非使用状態（図５）との間を回動する取手４２の回動軌跡に干渉しないよう紙幣カセット２６に装着されている。このため保護具６０は、作業者が取手４２を掴んで紙幣カセット２６を運搬する際に該取手４２に干渉しないようにし、取手４２の動きを阻害しないようにできる。
【００６０】
［１−６．保護具の装着及び取り外し］
この保護具６０は、紙幣カセット２６の輸送時に該紙幣カセット２６に装着される。すなわち作業者は、紙幣補充作業を行う際に、紙幣が収納された紙幣カセット２６に保護具６０を装着して現金自動預払機１まで持って行くと共に、紙幣回収作業を行う際に、紙幣が収納された紙幣カセット２６に保護具６０を装着して現金自動預払機１から持ち帰る。
【００６１】
保護具６０は、紙幣カセット２６の上方から該紙幣カセット２６に装着される。保護具６０が紙幣カセット２６へ装着される際、該保護具６０は、図８に示した状態から、それぞれ保守側腕６６の下端部が左側へ、非保守側腕６８の下端部が右側へ作業者により弾性変形された上で、紙幣カセット２６の上方から紙幣カセット２６へ向かって下方に移動される。
【００６２】
このとき図９（Ａ）に示すように、非保守側腕６８のカセット固定部６８Ｂが紙幣カセット２６の非保守側突起５４を乗り越えながら保護具６０が下方へ移動する。続いて図９（Ｂ）に示すように、紙幣カセット２６の非保守側突起５４の上端部が非保守側腕６８の非保守側孔７６の下端部に入り込む。さらに保護具６０が下方へ移動すると、図９（Ｃ）に示すように、紙幣カセット２６の非保守側突起５４全体が非保守側腕６８の非保守側孔７６に嵌り込むことにより、非保守側腕６８の左側面がカセット筐体３６の右側面に当接する。
【００６３】
以上は保護具６０の非保守側孔７６が紙幣カセット２６の非保守側突起５４に嵌め込まれる様子について説明したが、保護具６０の保守側孔７２が紙幣カセット２６の保守側突起５２に嵌め込まれる様子についてもほぼ同様である。このように、それぞれ非保守側孔７６が非保守側突起５４に、保守側孔７２が保守側突起５２に嵌り込むことにより、保護具６０が紙幣カセット２６に固定される。
【００６４】
ここで保護具６０は、それぞれ斜め曲げ７０及びＪ字曲げ７４が保守側腕６６及び非保守側腕６８の下端に形成されているため、それぞれ保守側孔７２に保守側突起５２が、非保守側孔７６に非保守側突起５４が、スムーズに勘合する。また保守側孔７２及び保守側突起５２は、互いに縦長形状に形成されていると共に、非保守側孔７６及び非保守側突起５４は、互いに縦長形状に形成されている。このため保護具６０は、保護具装着状態において前後方向に倒れにくくなっている。
【００６５】
また紙幣カセット２６が紙幣カセット装填空間１７Ｓに装填された状態において該紙幣カセット２６と搬送部２３との間で紙幣の受け渡しを可能とするために、紙幣カセット２６が紙幣カセット装填空間１７Ｓに装填される際には紙幣カセット２６から保護具６０が取り外される必要がある。このとき保護具６０は、それぞれ保守側腕６６の下端部が左側へ、非保守側腕６８の下端部が右側へ作業者により弾性変形されることにより、それぞれ保守側孔７２から保守側突起５２が、非保守側孔７６から非保守側突起５４が外れる。これにより保護具６０は、紙幣カセット２６から取り外される。
【００６６】
［１−７．紙幣カセットの装填］
紙幣カセット２６は、下部フレーム１７（図３）の紙幣カセット装填空間１７Ｓに装填される場合、作業者等によって該紙幣カセット装填空間１７Ｓのほぼ真上に位置された状態から徐々に下降されることにより、下側から該紙幣カセット装填空間１７Ｓの内部へ装填されていく。このとき紙幣カセット２６は、それぞれ非保守側突起５４及び保守側突起５２が、下部フレーム１７の右側板３１及び左側板３０の図示しない切欠きと勘合すると共に、右側板３１における上端部側の図示しない位置決め手段により下部フレーム１７に対し位置決めされる。
【００６７】
ここで、保護具装着状態のまま紙幣カセット２６が紙幣カセット装填空間１７Ｓに装填されようとすると、紙幣カセット２６は、図１０（Ａ）に示すように、Ｊ字曲げ７４が下部フレーム１７における右側板上端面３１Ｕの上方に位置した状態で下降する。さらに紙幣カセット２６が紙幣カセット装填空間１７Ｓに向かって下降すると、図１０（Ｂ）に示すように、Ｊ字曲げ７４が下部フレーム１７における右側板上端面３１Ｕに当接することにより、それ以上の紙幣カセット２６の下方への移動が規制される。これにより保護具６０は、保護具装着状態のまま紙幣カセット２６が紙幣カセット装填空間１７Ｓに装填されてしまうことを防止すると共に、作業者に対し、保護具装着状態のまま紙幣カセット２６が紙幣カセット装填空間１７Ｓに装填されようとしていることを気付かせることができる。
【００６８】
［１−８．効果等］
以上の構成において保護具６０は、カセット筐体３６に取り付けられた際に、上面部６２でカセット受渡ガイド４６を覆うようにした。これにより保護具６０は、カセット受渡ガイド４６が外部と接触してしまうことを上面部６２により防止できるため、該カセット受渡ガイド４６を破損から保護できる。
【００６９】
また保護具６０は、上面部６２の右端及び左端からそれぞれカセット筐体３６の右側面及び左側面と対向するよう延設する腕部８０でカセット筐体３６を挟み込むと共に、嵌合部８２をカセット筐体３６の被嵌合部８４と嵌合させるようにした。これにより保護具６０は、カセット筐体３６に安定的に固定され、容易には離脱しないようにできる。
【００７０】
また保護具６０は、保護具装着状態においてカセット受渡ガイド４６を上面部６２で覆うと共に、クッション７８を該カセット受渡ガイド４６に押し当てるようにした。これにより保護具６０は、クッション７８により、カセット受渡ガイド４６と上面部６２との間の衝撃を緩衝できるため、上面部６２だけを該カセット受渡ガイド４６と対向させる場合よりも、より一層該カセット受渡ガイド４６を破損から保護できる。
【００７１】
さらに保護具６０は、カセット筐体３６に装着された際に取手４２を避けるよう腕部８０が屈曲すると共に、取手４２の移動軌跡に干渉しないようにした。これにより保護具６０は、作業者が取手４２を掴んで紙幣カセット２６を運搬する際に該取手４２に干渉しないようにし、取手４２の動きを阻害しないようにできる。
【００７２】
さらに保護具６０は、腕部８０の下端部が、カセット筐体３６の右側面及び左側面から離れるように、すなわち上方から下端部に向かうに連れて間隔が広がるように屈曲するようにした。これにより保護具６０は、作業者により紙幣カセット２６に容易に装着されるようにできる。また保護具６０は、Ｕ字形状に形成されているため、腕部８０の先端が開くように弾性変形されることにより、作業者により紙幣カセット２６から容易に取り外されるようにできる。
【００７３】
また保護具６０は、１枚の板金が折り曲げられて形成されるようにした。このため保護具６０は、複数枚の板金が例えば溶接により接合されて形成される場合と比べて、容易に製造されることができる。
【００７４】
さらに保護具６０は、保護具装着状態のまま紙幣カセット２６が紙幣カセット装填空間１７Ｓに装填されようとすると、Ｊ字曲げ７４が下部フレーム１７における右側板上端面３１Ｕに当接することにより、それ以上の紙幣カセット２６の下方への移動が規制されるようにした。これにより保護具６０は、紙幣カセット２６の下部フレーム１７への装填時における紙幣カセット２６からの保護具６０の外し忘れを防止できる。
【００７５】
また保護具６０は、下部フレーム１７における右側板３１の強度を確保するために右側板３１に元々設けられている右側板上端面３１Ｕに、Ｊ字曲げ７４を当接させるようにした。このため保護具６０は、Ｊ字曲げ７４が当接する面を別途右側板３１に形成することなく、右側板上端面３１Ｕを流用できるため、下部フレーム１７の構成を複雑化させないようにできる。
【００７６】
さらに保護具６０は、紙幣カセット２６が左右逆の状態で紙幣カセット装填空間１７Ｓに誤装填されてしまう逆差しを防止するためにカセット筐体３６に元々設けられている保守側突起５２及び非保守側突起５４に、それぞれ保守側孔７２及び非保守側孔７６が嵌め込まれるようにした。このため保護具６０は、保守側孔７２及び非保守側孔７６が嵌め込まれる突起を別途カセット筐体３６に形成することなく、保守側突起５２及び非保守側突起５４を流用できるため、カセット筐体３６の構成を複雑化させないようにできる。
【００７７】
以上の構成によれば現金自動預払機１は、所定のフレームとしての下部フレーム１７に形成された筐体装填空間としての紙幣カセット装填空間１７Ｓに着脱可能に構成されており、利用者との間で取引する紙幣又は取引した紙幣を内部に収納する収納空間が形成され、紙幣を外部から内部の収納空間へ収納又は該収納空間から外部へ繰り出すための開口部としての挿通孔４０が形成されたカセット筐体３６と、カセット筐体３６に取り付け可能で、該カセット筐体３６に取り付けられた際に挿通孔４０を覆う上面部６２と、上面部６２の両端からカセット筐体３６の左右両側面と対向するよう延設し、カセット筐体３６の両側面に形成された被嵌合部８４と嵌合する嵌合部８２が形成された腕部８０とを具える保護具６０とを設けるようにした。
【００７８】
これにより現金自動預払機１は、紙幣カセット２６の輸送時に、上面部６２がカセット受渡ガイド４６を覆うよう保護具６０がカセット筐体３６に取り付けられることにより、カセット受渡ガイド４６に外部からの衝撃による損傷が生じることを防ぐことができる。
【００７９】
［２．第２の実施の形態］
［２−１．保護具の構成］
図８と対応する部材に同一符号を付した図１１に示すように、第２の実施の形態による保護具１６０は、第１の実施の形態による保護具６０と比べて、腕部１８０が腕部８０と異なるものの、それ以外は同様に構成されている。腕部１８０は腕部８０と比べて、嵌合部１８２が嵌合部８２と異なるものの、それ以外は同様に構成されている。嵌合部１８２は嵌合部８２と比べて、それぞれ保守側孔１７２及び非保守側孔１７６が保守側孔７２及び非保守側孔７６と異なっている。
【００８０】
保守側孔１７２と非保守側孔１７６とは、互いに同一形状であるため、以下では非保守側孔１７６についてのみ説明する。非保守側孔１７６は、上端部において非保守側孔７６（図８）の前後方向の幅と同一に形成された嵌合部１７６Ａと、下端部において嵌合部１７６Ａよりも前後方向の幅が広く形成された幅広部１７６Ｂと、嵌合部１７６Ａと幅広部１７６Ｂとの間において、幅広部１７６Ｂから嵌合部１７６Ａへ向かうに連れて前後の幅が徐々に狭くなる傾斜部１７６Ｃとを有している。
【００８１】
保護具１６０が紙幣カセット２６へ装着される際、紙幣カセット２６の非保守側突起５４の上端部が非保守側腕６８の非保守側孔１７６の幅広部１７６Ｂに入り込む。このとき、幅広部１７６Ｂは非保守側突起５４よりも前後方向の幅が広く形成されているので、保護具１６０は、保護具６０よりも、非保守側孔１７６に非保守側突起５４を入り込ませやすくすることができる。さらに保護具１６０が下方へ移動すると、紙幣カセット２６の非保守側突起５４の上端部が、非保守側腕６８の非保守側孔１７６における傾斜部１７６Ｃの前後の縁により前後方向の位置を誘導されつつ、嵌合部１７６Ａに入り込む。続いて非保守側突起５４の上端部及び中央部が非保守側孔１７６の嵌合部１７６Ａに嵌り込むことにより、保護具１６０が紙幣カセット２６に固定される。
【００８２】
このように保護具１６０は、非保守側孔１７６に、嵌合部１７６Ａよりも前後方向の幅が広い幅広部１７６Ｂを下端部に形成し、嵌合部１７６Ａと幅広部１７６Ｂとの間に、幅広部１７６Ｂから嵌合部１７６Ａへ向かうに連れて前後の幅が徐々に狭くなる傾斜部１７６Ｃを形成するようにした。これにより保護具１６０は、非保守側孔１７６と紙幣カセット２６の非保守側突起５４との位置が正確に合わせられていなくても、保護具１６０を紙幣カセット２６に容易に装着させることができる。
【００８３】
以上は保護具１６０の非保守側孔１７６が紙幣カセット２６の非保守側突起５４に嵌め込まれる様子について説明したが、保護具１６０の保守側孔１７２が紙幣カセット２６の保守側突起５２に嵌め込まれる様子についてもほぼ同様である。
【００８４】
［３．他の実施の形態］
なお上述した第１の実施の形態においては、紙幣カセット２６に保守側突起５２及び非保守側突起５４を設け、保護具６０に、それぞれ保守側突起５２及び非保守側突起５４に嵌り込む保守側孔７２及び非保守側孔７６を設ける場合について述べた。本発明はこれに限らず、保護具６０に保守側突起及び非保守側突起を設け、紙幣カセット２６に、それぞれ保守側突起及び非保守側突起に嵌り込む保守側孔及び非保守側孔を設けても良い。第２の実施の形態においても同様である。
【００８５】
また上述した実施の形態において、保護具６０又は１６０は、外し忘れを防止するために、例えば黄色等、種々の目立つ色で塗装されていても良い。その場合、樹脂製のため灰色やクリーム色であることが多いカセット筐体３６と異なる色であると好ましい。
【００８６】
さらに上述した実施の形態において、保護具６０又は１６０の上面部６２から例えば上方に向かって突出する突起を形成しても良い。その場合、保護具装着状態の紙幣カセット２６が紙幣カセット装填空間１７Ｓに装填され下部ユニット１５が入出金機筐体１１に収納されようとすると、該突起が例えば仕切部１１Ｐに接触するため、保護具６０又は１６０を紙幣カセット２６から取り外すことを作業者に認識させることができる。
【００８７】
さらに上述した実施の形態においては、縦長形状の１個の保守側突起５２に１個の保守側孔７２又は１７２を嵌め込む場合について述べた。本発明はこれに限らず例えば円形状で上下や前後に並んだ例えば２個の保守側突起に、２個の保守側孔を嵌め込んでも良い。非保守側突起５４と非保守側孔７６又は１７６とについても同様である。
【００８８】
さらに上述した実施の形態においては、下部フレーム１７の右側板３１の上端よりも左側板３０の上端の方を低くする場合について述べた。本発明はこれに限らず、右側板３１と左側板３０とを同等の高さとしても良く、右側板３１よりも左側板３０を高くしても良い。
【００８９】
さらに上述した実施の形態においては、保守側腕６６よりも非保守側腕６８を長くする場合について述べた。本発明はこれに限らず、保守側腕６６と非保守側腕６８とを同等の長さとしても良く、保守側腕６６よりも非保守側腕６８を短くしても良い。
【００９０】
さらに上述した実施の形態においては、保護具装着状態の紙幣カセット２６が紙幣カセット装填空間１７Ｓに装填されようとした際に、Ｊ字曲げ７４が右側板上端面３１Ｕに当接する場合について述べた。本発明はこれに限らず、斜め曲げ７０が左側板上端面３０Ｕに当接するようにしても良い。
【００９１】
さらに上述した実施の形態においては、非保守側腕６８の下端にＪ字曲げ７４を形成する場合について述べた。本発明はこれに限らず、非保守側腕６８の下端に、保護具装着状態のまま紙幣カセット２６が紙幣カセット装填空間１７Ｓに装填されようとした際に右側板上端面３１Ｕに当接する、種々の形状を形成すれば良い。
【００９２】
さらに上述した実施の形態においては、１枚の鋼板を曲げることにより保護具６０及び１６０を形成する場合について述べた。本発明はこれに限らず、複数枚の鋼板を接合することにより保護具を形成したり、保護具を樹脂成形したりしても良い。
【００９３】
さらに上述した実施の形態において、紙幣カセット装填空間１７Ｓに紙幣カセット２６を装填させる際は該紙幣カセット２６から保護具６０を取り外すことを作業者に注意喚起するラベルを、保護具６０及び１６０の例えば上面部６２における上面に貼り付けても良い。
【００９４】
さらに上述した実施の形態においては、紙幣カセット装填空間１７Ｓに対し上下方向に沿って紙幣カセット２６を移動させることにより紙幣カセット装填空間１７Ｓに紙幣カセット２６を装填させる、いわゆる縦装填の現金自動預払機１に本発明を適用する場合について述べた。本発明はこれに限らず、紙幣カセット装填空間に対し前後方向又は左右方向に沿って紙幣カセットを移動させることにより紙幣カセット装填空間に紙幣カセットを装填させる、いわゆる横装填の現金自動預払機に本発明を適用しても良い。
【００９５】
さらに上述した実施の形態においては、それぞれ非保守側孔７６が非保守側突起５４に、保守側孔７２が保守側突起５２に嵌り込むことにより、保護具６０が紙幣カセット２６に固定される場合について述べた。本発明はこれに限らず、非保守側孔７６及び非保守側突起５４か、保守側孔７２及び保守側突起５２かの、何れか一方を省略しても良い。
【００９６】
さらに上述した実施の形態においては、紙幣カセット２６に装着する保護具６０及び１６０に本発明を適用する場合について述べた。本発明はこれに限らず、リジェクトカセット２７に装着する保護具に本発明を適用しても良い。
【００９７】
さらに上述した実施の形態においては、紙幣を取り扱う現金自動預払機１に本発明を適用する場合について述べた。しかしながら本発明はこれに限らず、例えば証券や商品券、或いは金券等、種々の紙葉状の媒体を取り扱う種々の装置に適用しても良い。
【００９８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９９】
さらに上述した実施の形態においては、被覆部としての上面部６２と、取付部としての腕部８０とによって、保護具としての保護具６０又は１６０を構成する場合について述べた。本発明はこれに限らず、その他種々の構成でなる被覆部と、取付部とによって、保護具を構成しても良い。
【０１００】
さらに上述した実施の形態においては、媒体収納筐体としてのカセット筐体３６と、被覆部としての上面部６２と取付部としての腕部８０又は１８０とを具える保護具６０又は１６０とによって、媒体収納装置としての紙幣カセット２６を構成する場合について述べた。本発明はこれに限らず、その他種々の構成でなる媒体収納筐体と、被覆部と取付部とを具える保護具とによって、媒体収納装置を構成しても良い。
【０１０１】
さらに上述した実施の形態においては、媒体収納筐体としてのカセット筐体３６と、被覆部としての上面部６２と取付部としての腕部８０又は１８０とを具える保護具６０又は１６０とによって、媒体処理装置としての紙幣入出金機１０を構成する場合について述べた。本発明はこれに限らず、その他種々の構成でなる媒体収納筐体と、被覆部と取付部とを具える保護具とによって、媒体処理装置を構成しても良い。
【産業上の利用可能性】
【０１０２】
本発明は、例えば現金自動預払機のように、紙幣等の媒体を収納する収納庫を筐体から着脱可能に構成し、且つ収納庫を輸送時の取り扱いから保護するような種々の装置でも利用できる。
【符号の説明】
【０１０３】
１……現金自動預払機、２……筐体、３……顧客応対部、４……カード入出口、５……入出金口、６……操作表示部、７……テンキー、８……レシート発行口、９……主制御部、１０……紙幣入出金機、１１……入出金機筐体、１１ＳＵ……上部空間、１１ＳＬ……下部空間、１１Ｐ……仕切部、１２……上部ユニット、１５……下部ユニット、１６……スライドレール、１７……下部フレーム、１７Ｓ……紙幣カセット装填空間、２１……紙幣制御部、２２……入出金部、２３……搬送部、２４……鑑別部、２５……一時保留部、２６……紙幣カセット、２７……リジェクトカセット、２８……受渡部、３０……左側板、３０Ｕ……左側板上端面、３１……右側板、３１Ｕ……右側板上端面、３２……前側板、３３……後側板、３４……仕切板、３６……カセット筐体、３８……カセット案内部、４０……挿通孔、４２……取手、４２Ｐ……回動軸、４４……前扉、４４Ｌ……錠、４６……カセット受渡ガイド、４６Ｆ……カセット前受渡ガイド、４６Ｂ……カセット後受渡ガイド、４８……搬送空間、５０……上部カバー、５２……保守側突起、５４……非保守側突起、６０、１６０……保護具、６２……上面部、６４……背面部、６６……保守側腕、６６Ａ……回動軸退避部、６６Ｂ……カセット固定部、６８……非保守側腕、６８Ａ……回動軸退避部、６８Ｂ……カセット固定部、７０……斜め曲げ、７２、１７２……保守側孔、７４……Ｊ字曲げ、７６、１７６……非保守側孔、１７６Ａ……嵌合部、１７６Ｂ……幅広部、１７６Ｃ……傾斜部、７８……クッション、８０、１８０……腕部、８２、１８２……嵌合部、８４……被嵌合部、ｔ……板厚、ｓ……腕部間隔、ｗ……カセット幅、Ｌ１……保守側腕長さ、Ｌ２……非保守側腕長さ、ｂ……腕部幅、ｈ１……保守側突起高さ、ｈ２……非保守側突起高さ。
【図１】
0006696299.tif 000002
【図２】
0006696299.tif 000003
【図３】
0006696299.tif 000004
【図４】
0006696299.tif 000005
【図５】
0006696299.tif 000006
【図６】
0006696299.tif 000007
【図７】
0006696299.tif 000008
【図８】
0006696299.tif 000009
【図９】
0006696299.tif 000010
【図１０】
0006696299.tif 000011
【図１１】
0006696299.tif 000012